(57)【要約】【課題】時計に無線通信デバイスを搭載でき、かつ時計のデザインに制約が生じることを回避できる時計用ムーブメントおよび時計を提供する。【解決手段】ムーブメント５は、裏蓋を有する時計ケースの内側に配置され、指針を駆動する。ムーブメント５は、外部からの電波を電力源とし、外部のリーダと通信するＲＦＩＤタグ３１を備える。【選択図】図２
2020034401.tif 000002
【特許請求の範囲】
【請求項１】
裏蓋を有する時計ケースの内側に配置され、指針を駆動する時計用ムーブメントであって、
外部からの電波を電力源とし、外部のリーダと通信する無線通信デバイスを備えることを特徴とする時計用ムーブメント。
【請求項２】
前記無線通信デバイスは、前記裏蓋側に面する外面から１０ｍｍ以内に配置されている、
ことを特徴とする請求項１に記載の時計用ムーブメント。
【請求項３】
前記指針を回転させる動力を発生させる動力源、および前記指針に動力を伝達する輪列のうち少なくともいずれか一方を支持する地板をさらに備え、
前記無線通信デバイスは、前記地板の厚み方向の両側、および前記厚み方向に直交する前記地板の面方向の外側のうち少なくともいずれか一方から視認不能な位置に配置されている、
ことを特徴とする請求項１または請求項２に記載の時計用ムーブメント。
【請求項４】
前記指針を回転させる動力を発生させる動力源、および前記指針に動力を伝達する輪列のうち少なくともいずれか一方を支持する地板と、
前記地板に取り付けられる導電部材と、
をさらに備え、
前記導電部材は、
前記地板の厚み方向に直交する面方向に沿って延びる平板部と、
前記平板部の外縁から前記厚み方向に沿って延出する延出部と、
を備え、
前記無線通信デバイスは、外部から見て前記平板部と前記延出部との間に配置されている、
ことを特徴とする請求項１から請求項３のいずれか１項に記載の時計用ムーブメント。
【請求項５】
前記指針を回転させる動力を発生させる動力源、および前記指針に動力を伝達する輪列のうち少なくともいずれか一方を支持する地板と、
前記地板に取り付けられる導電部材と、
をさらに備え、
前記導電部材は、前記地板の厚み方向に直交する面方向に沿って延びる平板部を備え、
前記平板部には、貫通孔が形成され、
前記無線通信デバイスは、外部から見て前記貫通孔の内側に配置されている、
ことを特徴とする請求項１から請求項３のいずれか１項に記載の時計用ムーブメント。
【請求項６】
前記無線通信デバイスを内側に収容する凹部が形成されている、
ことを特徴とする請求項１から請求項５のいずれか１項に記載の時計用ムーブメント。
【請求項７】
前記凹部の内面には、前記無線通信デバイスに嵌合する嵌合突部が形成されている、
ことを特徴とする請求項６に記載の時計用ムーブメント。
【請求項８】
前記凹部の開口縁には、前記無線通信デバイスの脱落を規制するかしめ部が形成されている、
ことを特徴とする請求項６または請求項７に記載の時計用ムーブメント。
【請求項９】
前記指針を回転させる動力を発生させる動力源を制御する制御部と、
前記制御部が実装されるとともにプリント配線が形成された基板と、
をさらに備え、
前記無線通信デバイスは、前記プリント配線に重なる位置で前記基板に表面実装されている、
ことを特徴とする請求項１から請求項５のいずれか１項に記載の時計用ムーブメント。
【請求項１０】
請求項１から請求項９のいずれか１項に記載の時計用ムーブメントを備えることを特徴とする時計。
【発明の詳細な説明】
【技術分野】
【０００１】
本発明は、時計用ムーブメントおよび時計に関するものである。
【背景技術】
【０００２】
従来、ＲＦＩＤタグ等の無線通信デバイスが搭載された時計がある（例えば、特許文献１参照）。特許文献１には、時計本体（時計ケース）の外側に、外部の送受信手段との間において非接触状態でデータの通信を行う非接触データ送受信手段を配置した腕時計が開示されている。この種の時計では、例えば、電池交換や修理等の履歴情報や、それらの履歴情報を照会するための情報、真贋判定のための情報等が無線通信デバイスに埋め込まれる。無線通信デバイスに埋め込まれた情報は、外部のリーダを用い、無線通信によって読み取ることができる。
【先行技術文献】
【特許文献】
【０００３】
【特許文献１】特開２００１−６００７号公報
【発明の概要】
【発明が解決しようとする課題】
【０００４】
しかしながら、時計ケースの外側に無線通信デバイスを設けると、時計のデザインに制約が生じる場合がある。
【０００５】
そこで本発明は、時計に無線通信デバイスを搭載でき、かつ時計のデザインに制約が生じることを回避できる時計用ムーブメントおよび時計を提供するものである。
【課題を解決するための手段】
【０００６】
本発明の時計用ムーブメントは、裏蓋を有する時計ケースの内側に配置され、指針を駆動する時計用ムーブメントであって、外部からの電波を電力源とし、外部のリーダと通信する無線通信デバイスを備えることを特徴とする。
【０００７】
本発明によれば、時計における外部に面する部材に無線通信デバイスを搭載することなく、時計に無線通信デバイスを搭載することができる。これにより、時計用ムーブメントの搭載先の時計のデザインに制約が生じることを回避できる。
特に、無線通信デバイスに埋め込まれる情報が電池交換や修理等の履歴情報、それらの履歴情報を照会するための情報、または真贋判定のための情報である場合、外部のリーダによって無線通信デバイスから情報を読み取る場面は、時計の電池交換や修理等の作業時である。すなわち、外部のリーダによって無線通信デバイスから情報を読み取る場面は、時計ケースの裏蓋を取り外す必要のある作業時である。このため、時計ケースの内側に無線通信デバイスが配置され、時計ケースの外部から無線通信デバイスと通信することが困難であっても、無線通信デバイスを備えた時計としての利便性が低下することを抑制できる。
【０００８】
上記の時計用ムーブメントにおいて、前記無線通信デバイスは、前記裏蓋側に面する外面から１０ｍｍ以内に配置されている、ことが望ましい。
【０００９】
本発明によれば、裏蓋を取り外して時計ケースの内側を開放することで、外部のリーダを無線通信デバイスから１０ｍｍ以内に近付けることができる。これにより、時計用ムーブメントを時計ケース内から取り出さなくても無線通信デバイスから情報を読み取ることが可能となる。したがって、電池交換や簡単な修理等の作業効率を向上させることができる。
【００１０】
上記の時計用ムーブメントにおいて、前記指針を回転させる動力を発生させる動力源、および前記指針に動力を伝達する輪列のうち少なくともいずれか一方を支持する地板をさらに備え、前記無線通信デバイスは、前記地板の厚み方向の両側、および前記厚み方向に直交する前記地板の面方向の外側のうち少なくともいずれか一方から視認不能な位置に配置されている、ことが望ましい。
【００１１】
本発明によれば、無線通信デバイスが地板の厚み方向の一方、および地板の面方向外側の２方向に跨って露出することを防止できる。これにより、無線通信デバイスは、時計用ムーブメントから容易に取り外すことが困難な位置に配置される。よって、無線通信デバイスの不正な交換を抑制することができる。
【００１２】
上記の時計用ムーブメントにおいて、前記指針を回転させる動力を発生させる動力源、および前記指針に動力を伝達する輪列のうち少なくともいずれか一方を支持する地板と、前記地板に取り付けられる導電部材と、をさらに備え、前記導電部材は、前記地板の厚み方向に直交する面方向に沿って延びる平板部と、前記平板部の外縁から前記厚み方向に沿って延出する延出部と、を備え、前記無線通信デバイスは、外部から見て前記平板部と前記延出部との間に配置されている、ことが望ましい。
【００１３】
本発明によれば、無線通信デバイスの周囲に電波を遮断する導電部材が配置されていても、平板部と延出部との間を電波の伝播経路として確保することができる。したがって、外部のリーダによって無線通信デバイスから情報を確実に読み取ることができる。
【００１４】
上記の時計用ムーブメントにおいて、前記指針を回転させる動力を発生させる動力源、および前記指針に動力を伝達する輪列のうち少なくともいずれか一方を支持する地板と、前記地板に取り付けられる導電部材と、をさらに備え、前記導電部材は、前記地板の厚み方向に直交する面方向に沿って延びる平板部を備え、前記平板部には、貫通孔が形成され、前記無線通信デバイスは、外部から見て前記貫通孔の内側に配置されている、ことが望ましい。
【００１５】
本発明によれば、無線通信デバイスの周囲に電波を遮断する導電部材が配置されていても、貫通孔を電波の伝播経路として確保することができる。したがって、外部のリーダによって無線通信デバイスから情報を確実に読み取ることができる。
【００１６】
上記の時計用ムーブメントにおいて、前記無線通信デバイスを内側に収容する凹部が形成されている、ことが望ましい。
【００１７】
本発明によれば、無線通信デバイスの脱落を抑制できる。したがって、無線通信デバイスを備える時計用ムーブメントの品質を向上させることができる。また、無線通信デバイスが凹部の内面に囲まれるので、無線通信デバイスを容易に取り外すことが困難となる。よって、無線通信デバイスの不正な交換を抑制することができる。
【００１８】
上記の時計用ムーブメントにおいて、前記凹部の内面には、前記無線通信デバイスに嵌合する嵌合突部が形成されている、ことが望ましい。
【００１９】
本発明によれば、無線通信デバイスが凹部から脱落することを抑制できる。したがって、無線通信デバイスを備える時計用ムーブメントの品質をより向上させることができる。
【００２０】
上記の時計用ムーブメントにおいて、前記凹部の開口縁には、前記無線通信デバイスの脱落を規制するかしめ部が形成されている、ことが望ましい。
【００２１】
本発明によれば、無線通信デバイスが凹部から脱落することを抑制できる。したがって、無線通信デバイスを備える時計用ムーブメントの品質をより向上させることができる。
【００２２】
上記の時計用ムーブメントにおいて、前記指針を回転させる動力を発生させる動力源を制御する制御部と、前記制御部が実装されるとともにプリント配線が形成された基板と、をさらに備え、前記無線通信デバイスは、前記プリント配線に重なる位置で前記基板に表面実装されている、ことが望ましい。
【００２３】
本発明によれば、無線通信デバイスが基板から取り外された際に、プリント配線も基板から剥離するように構成できる。これにより、無線通信デバイスが基板から取り外されると、プリント配線が断線し、時計用ムーブメントが正常に動作しなくなる。したがって、無線通信デバイスの不正な交換を抑制することができる。
【００２４】
本発明の時計は、上記の時計用ムーブメントを備えることを特徴とする。
【００２５】
本発明によれば、時計に無線通信デバイスを搭載でき、かつ時計のデザインに制約が生じることを回避できる時計用ムーブメントを備えるので、無線通信デバイスを備え、かつデザイン性に優れた時計を提供できる。
【発明の効果】
【００２６】
本発明によれば、時計に無線通信デバイスを搭載でき、かつ時計のデザインに制約が生じることを回避できる時計用ムーブメントおよび時計を提供することができる。
【図面の簡単な説明】
【００２７】
【図１】第１実施形態の時計を示す断面図である。
【図２】第１実施形態のムーブメントを表側から見た斜視図である。
【図３】第１実施形態の地板を表側から見た斜視図である。
【図４】第１実施形態の回路ブロックを裏側から見た平面図である。
【図５】第１実施形態のムーブメントの一部を示す断面図である。
【図６】第１実施形態の第１変形例のムーブメントの一部を示す断面図である。
【図７】第１実施形態の第２変形例のムーブメントの一部を示す断面図である。
【図８】第１実施形態の第３変形例の地板の一部を示す斜視図である。
【図９】第１実施形態の第３変形例のムーブメントの一部を示す断面図である。
【図１０】第２実施形態の回路ブロックを裏側から見た平面図である。
【図１１】第２実施形態のムーブメントの作用を説明する図であって、第２実施形態の回路ブロックを示す斜視図である。
【図１２】第３実施形態のムーブメントを裏側から見た斜視図である。
【図１３】第４実施形態のムーブメントを表側から見た平面図である。
【図１４】第４実施形態のムーブメントを表側から見た斜視図である。
【発明を実施するための形態】
【００２８】
以下、本発明の実施形態を図面に基づいて説明する。以下の実施形態では、時計の一例として、アナログクォーツ式の電子時計を例に挙げて説明する。なお以下の説明では、同一または類似の機能を有する構成に同一の符号を付す。そして、それら構成の重複する説明は省略する場合がある。
【００２９】
［第１実施形態］
図１は、第１実施形態の時計を示す断面図である。
図１に示すように、実施形態の時計１は、時計ケース２と、文字板３と、指針４と、ムーブメント５（時計用ムーブメント）と、を備える。時計ケース２は、両端が開口した円筒状のケース本体１０と、ケース本体１０の一端開口部１１を閉塞する風防ガラス１４と、ケース本体１０の他端開口部１２を閉塞する裏蓋１６と、を備える。時計ケース２は、文字板３、指針４およびムーブメント５を収容する。なお、以下の説明では、ムーブメント５に対する風防ガラス１４側をムーブメントの「裏側」と称する。また、ムーブメント５に対する裏蓋１６側をムーブメントの「表側」と称する。
【００３０】
文字板３は、円板状に形成されている。文字板３は、風防ガラス１４を介して視認可能となっている。
指針４は、文字板３と風防ガラス１４との間に配置されている。指針４は、ムーブメント５の回転軸２１に取り付けられている。
【００３１】
ムーブメント５は、指針４を駆動する。ムーブメント５は、文字板３と裏蓋１６との間に配置されている。ムーブメント５は、時計ケース２の裏蓋１６を取り外した状態で、ケース本体１０の他端開口部１２を通じて外部に露出する。
【００３２】
図２は、第１実施形態のムーブメントを表側から見た斜視図である。
図２に示すように、ムーブメント５は、地板４０と、回転軸２１（図１参照）と、モータ２３（動力源）と、輪列（不図示）と、電池２７と、輪列受２９と、回路ブロック５０と、回路押さえ６０と、ＲＦＩＤタグ３１（無線通信デバイス）と、を備える。
【００３３】
図３は、第１実施形態の地板を表側から見た斜視図である。
図２および図３に示すように、地板４０は、ムーブメント５の基板を構成している。地板４０は、例えば樹脂材料等の絶縁材料により形成されている。地板４０は、時計ケース２（図１参照）の形状に対応して、厚み方向がムーブメント５の表裏方向と一致する円盤状に形成されている。地板４０は、モータ２３や輪列、電池２７等を支持している。地板４０の表側を向く面には、ＲＦＩＤタグ３１を収容する凹部４１と、モータ２３を保持するモータ保持部４２と、電池２７を保持する電池保持部４３と、が形成されている。凹部４１については後述する。モータ保持部４２は、モータ２３のコイルが入り込むように裏側に窪んでいる。電池保持部４３は、電池２７が入り込むように裏側に窪むとともに、電池２７を側方から囲う側壁を備えている。
【００３４】
図２に示すように、モータ２３は、地板４０の表側に配置されている。モータ２３は、指針４（図１参照）を回転させるための動力を発生させる。輪列は、モータ２３のロータと回転軸２１（図１参照）とを連結する。輪列は、モータ２３のロータの回転を、回転軸２１に取り付けられた指針４に伝達する。輪列は、例えば、地板４０の表側に配置された表輪列を備える。電池２７は、地板４０の表側に配置されている。電池２７は、モータ２３の電力源である。
【００３５】
輪列受２９は、地板４０の表側に取り付けられている。輪列受２９は、平面視で電池２７を避けるように配置されている。輪列受２９は、地板４０との間に表輪列を回転可能に支持している。
【００３６】
図４は、第１実施形態の回路ブロックを裏側から見た平面図である。
図２および図４に示すように、回路ブロック５０は、地板４０の表側に配置されている。回路ブロック５０は、プリント基板である。回路ブロック５０は、プリント配線５４が形成された基板５１と、基板５１に実装された水晶ユニット５２および集積回路５３（制御部）と、を備える。集積回路５３は、モータ２３を制御する。集積回路５３は、例えばＣＭＯＳやＰＬＡ等により構成されている。集積回路５３は、電池２７から供給された電力によって動作する。集積回路５３は、水晶ユニット５２における水晶振動子の振動に基づいて基準信号を出力する発振部（オシレータ）と、発振部の基準信号を分周する分周部（デバイダ）と、分周部の出力信号に基づいてモータ駆動信号（駆動パルス）を出力する駆動部（ドライバ）と、を有している。そして、集積回路５３は、駆動部から出力されたモータ駆動信号によってモータ２３を駆動する。
【００３７】
図２に示すように、回路押さえ６０は、金属材料からなる板材をプレス加工することにより形成されている。回路押さえ６０は、平板部６１と、平板部６１から延びる端子部６２およびスイッチばね６３（延出部）と、を備える。平板部６１は、回路ブロック５０を挟んで地板４０とは反対側に配置されている。平板部６１は、地板４０の厚み方向に直交する地板４０の面方向に沿って延びている。平板部６１は、ムーブメント５の厚み方向から見た平面視で電池２７を避けるように形成されている。平板部６１は、平面視で地板４０よりも小さく形成されている。平板部６１は、平面視で地板４０の外縁よりも内側に配置されている。平板部６１は、複数のねじ６５により、地板４０に固定されている。平板部６１は、地板４０との間に回路ブロック５０を挟持している。
【００３８】
端子部６２は、平板部６１の外縁のうち、電池２７に対向する箇所から延びている。端子部６２は、電池２７のプラス極に表側から接触する。また、端子部６２は、平面視で電池２７を跨ぐように延びた後、裏側に向かって延びて地板４０の側面に係止されている。これにより、端子部６２は、地板４０との間に電池２７を挟持している。
【００３９】
スイッチばね６３は、平板部６１の外縁からムーブメント５の厚み方向に沿って裏側に延出している。スイッチばね６３は、回路ブロック５０の基板５１の側面、および地板４０の側面に沿って延びている。スイッチばね６３は、平板部６１に対して弾性変形可能とされている。スイッチばね６３は、時計ケース２（図１参照）に設けられた図示しないボタンに対応する位置に設けられている。スイッチばね６３は、初期状態において回路ブロック５０から離れている。スイッチばね６３は、ボタンが操作された際に、ボタンに押されて撓み、回路ブロック５０の基板５１の端面上のプリント配線５４に接触する。これにより、プリント配線５４の一部が電池２７のプラス極と同電位となり、回路ブロック５０の集積回路５３は、ボタンが操作されたことを検出する。
【００４０】
なお、回路押さえ６０は、基板５１のプリント配線５４（図４参照）に導通する図示しない接点ばねをさらに備える。接点ばねは、平板部６１から裏側に向かって延びている。接点ばねは、回路ブロック５０の基板５１上のプリント配線５４の一部に圧接している。これにより、回路押さえ６０は、基板５１上のプリント配線５４の一部と電池２７のプラス極とを導通し、集積回路５３に電力を供給している。
【００４１】
図５は、第１実施形態のムーブメントの一部を示す断面図である。
図２および図５に示すように、ＲＦＩＤタグ３１は、外部のリーダからの電波を電力源として動作するパッシブタグである。ＲＦＩＤタグ３１は、外部のリーダと通信する。ＲＦＩＤタグ３１には、ムーブメント５の電池交換や修理等の履歴情報や、それらの履歴情報を照会するための情報、真贋判定のための情報等が埋め込まれている。ＲＦＩＤタグ３１に埋め込まれた情報は、外部のリーダを用いて読み取ることができる。ＲＦＩＤタグ３１は、直方体状に形成されている。ＲＦＩＤタグ３１は、ＲＦＩＣ素子およびアンテナ素子と、ＲＦＩＣ素子およびアンテナ素子を収容するパッケージと、を備える。
【００４２】
図２、図３および図５に示すように、ＲＦＩＤタグ３１は、地板４０に形成された凹部４１の内側に配置されている。凹部４１は、地板４０の外周部であって、ムーブメント５の外部から見て回路押さえ６０の平板部６１とスイッチばね６３との間に形成されている。これにより、ＲＦＩＤタグ３１は、ムーブメント５の外部から見て回路押さえ６０の平板部６１とスイッチばね６３との間に配置されている。
【００４３】
凹部４１は、ＲＦＩＤタグ３１よりも大きく形成され、平面視矩形状に形成されている。凹部４１は、裏側に窪むとともに表側に開口している。凹部４１の開口は、回路ブロック５０の基板５１、および回路押さえ６０の平板部６１によって閉塞されている。これにより、ＲＦＩＤタグ３１は、地板４０の厚み方向の両側、および地板４０の面方向の外側、の両方から視認不能な位置に配置されている。なお、ＲＦＩＤタグ３１は、接着剤によって凹部４１内に固定されていてもよいし、凹部４１内に載置されているだけでもよい。
【００４４】
図２および図５に示すように、ＲＦＩＤタグ３１は、ムーブメント５における表側に面する外面から１０ｍｍ以内に配置されている。より好適には、ＲＦＩＤタグ３１は、ムーブメント５における表側に面する外面から、回路押さえ６０を迂回した距離が１０ｍｍ以内の位置に配置されている。ＲＦＩＤタグ３１の少なくとも一部は、平面視で回路押さえ６０の平板部６１に重なっている。また、ＲＦＩＤタグ３１の少なくとも一部は、地板４０の面方向の外側から見て、回路押さえ６０のスイッチばね６３に重なっている。
【００４５】
以上に説明したように、本実施形態のムーブメント５は、外部からの電波を電力源とし、外部のリーダと通信するＲＦＩＤタグ３１を備える。この構成によれば、時計ケース２や図示しないバンド等、時計１における外部に面する部材にＲＦＩＤタグを搭載することなく、時計１にＲＦＩＤタグ３１を搭載することができる。これにより、ムーブメント５の搭載先の時計１のデザインに制約が生じることを回避できる。
【００４６】
特に、ＲＦＩＤタグ３１に埋め込まれる情報が電池交換や修理等の履歴情報、それらの履歴情報を照会するための情報、または真贋判定のための情報である場合、外部のリーダによってＲＦＩＤタグ３１から情報を読み取る場面は、時計１の電池交換や修理等の作業時である。すなわち、外部のリーダによってＲＦＩＤタグ３１から情報を読み取る場面は、時計ケース２の裏蓋１６を取り外す必要のある作業時である。このため、時計ケース２の内側にＲＦＩＤタグ３１が配置され、時計ケース２の外部からＲＦＩＤタグ３１との通信が困難であっても、ＲＦＩＤタグ３１を備えた時計１としての利便性が低下することを抑制できる。
【００４７】
また、ＲＦＩＤタグ３１は、裏蓋１６側（ムーブメント５の表側）に面する外面から１０ｍｍ以内に配置されている。この構成によれば、裏蓋１６を取り外して時計ケース２の内側を開放することで、外部のリーダをＲＦＩＤタグ３１から１０ｍｍ以内に近付けることができる。これにより、ムーブメント５を時計ケース２内から取り出さなくてもＲＦＩＤタグ３１から情報を読み取ることが可能となる。したがって、電池交換や簡単な修理等の作業効率を向上させることができる。
【００４８】
また、ＲＦＩＤタグ３１は、地板４０の厚み方向の両側、および地板４０の面方向の外側の両方から視認不能な位置に配置されている。この構成によれば、ＲＦＩＤタグ３１が地板４０の厚み方向の一方、および地板４０の面方向外側の２方向に跨って露出することを防止できる。これにより、ＲＦＩＤタグ３１は、ムーブメント５から容易に取り外すことが困難な位置に配置される。よって、ＲＦＩＤタグ３１の不正な交換を抑制することができる。
【００４９】
また、金属材料により形成された回路押さえ６０は、地板４０の面方向に沿って延びる平板部６１と、平板部６１の外縁から地板４０の厚み方向に沿って延出するスイッチばね６３と、を備える。ＲＦＩＤタグ３１は、外部から見て平板部６１とスイッチばね６３との間に配置されている。この構成によれば、ＲＦＩＤタグ３１の周囲に電波を遮断する回路押さえ６０が配置されていても、平板部６１とスイッチばね６３との間を電波の伝播経路として確保することができる。したがって、外部のリーダによってＲＦＩＤタグ３１から情報を確実に読み取ることができる。
【００５０】
また、回路押さえ６０の平板部６１は、平面視で地板４０の外縁よりも内側に配置されている。これにより、ムーブメント５が時計ケース２内に配置されていても、平板部６１と時計ケース２の内面との間に隙間が形成される。よって、ＲＦＩＤタグ３１と外部のリーダとの間に電波の伝播経路を確保することができる。したがって、ムーブメント５を時計ケース２から取り出さなくても、外部のリーダによってＲＦＩＤタグ３１から情報を確実に読み取ることができる。
【００５１】
また、地板４０には、ＲＦＩＤタグ３１を内側に収容する凹部４１が形成されている。この構成によれば、ＲＦＩＤタグ３１の脱落を抑制できる。したがって、ＲＦＩＤタグ３１を備えるムーブメント５の品質を向上させることができる。また、ＲＦＩＤタグ３１が凹部４１の内面に囲まれるので、ＲＦＩＤタグ３１を容易に取り外すことが困難となる。よって、ＲＦＩＤタグ３１の不正な交換を抑制することができる。
【００５２】
そして、本実施形態の時計１は、上述したムーブメント５を備えるので、ＲＦＩＤタグ３１を備え、かつデザイン性に優れた時計１とすることができる。
【００５３】
なお、ＲＦＩＤタグ３１の凹部４１内への設置方法について、上記第１実施形態の方法に限定されず、以下の変形例に示す方法を適用してもよい。
【００５４】
図６は、第１実施形態の第１変形例のムーブメントの一部を示す断面図である。図７は、第１実施形態の第２変形例のムーブメントの一部を示す断面図である。
例えば、図６および図７に示すように、凹部４１の開口縁をかしめ加工して、凹部４１の開口縁に平面視で内側に向かって張り出すかしめ部４５を形成してもよい。かしめ部４５は、少なくとも一部が平面視でＲＦＩＤタグ３１に重なるように形成されている。これにより、かしめ部４５は、ＲＦＩＤタグ３１の凹部４１からの脱落を規制する。
【００５５】
なお、凹部４１は、図６に示すようにかしめ部４５がＲＦＩＤタグ３１に表側から常時接触するように形成されていてもよいし、図７に示すようにかしめ部４５がＲＦＩＤタグ３１に対して離間可能となるように形成されていてもよい。かしめ部４５をＲＦＩＤタグ３１に対して離間可能に形成することで、かしめ加工時にＲＦＩＤタグ３１に加わる力を低減できる。
【００５６】
図８は、第１実施形態の第３変形例の地板の一部を示す斜視図である。図９は、第１実施形態の第３変形例のムーブメントの一部を示す断面図である。
また、図８および図９に示すように、凹部４１の内面には、ＲＦＩＤタグ３１に嵌合する複数の嵌合突部４６が形成されていてもよい。複数の嵌合突部４６は、凹部４１の４つの側面から平面視で凹部４１の中心に向かって突出している。嵌合突部４６は、平面視で円弧状に膨出し、先端部においてＲＦＩＤタグ３１の側面に圧接している。これにより、複数の嵌合突部４６は、ＲＦＩＤタグ３１を凹部４１の内側に保持している。
【００５７】
これら各変形例の構成によれば、ＲＦＩＤタグ３１が凹部４１から脱落することを抑制できる。したがって、ＲＦＩＤタグ３１を備えるムーブメント５の品質をより向上させることができる。
【００５８】
［第２実施形態］
次に、図１０および図１１を参照して、第２実施形態について説明する。第１実施形態では、ＲＦＩＤタグ３１が地板４０の凹部４１の内側に収容されている。これに対して、第２実施形態は、ＲＦＩＤタグ３１が回路ブロック５０の基板５１上に固定されている点で、第１実施形態とは異なる。なお、以下で説明する以外の構成は、第１実施形態と同様である。
【００５９】
図１０は、第２実施形態の回路ブロックを裏側から見た平面図である。
図１０に示すように、ＲＦＩＤタグ３１は、基板５１に固定されている。ＲＦＩＤタグ３１は、基板５１に表面実装されている。ＲＦＩＤタグ３１は、プリント配線５４に重なる位置に配置されている。ＲＦＩＤタグ３１が重なるプリント配線５４は、断線するとムーブメント５が動作不良を起こす配線が望ましく、例えば電源線やスイッチ線、モータ２３と集積回路５３とを接続する配線等が好適である。
【００６０】
図１１は、第２実施形態のムーブメントの作用を説明する図であって、第２実施形態の回路ブロックを示す斜視図である。
図１１に示すように、基板５１からＲＦＩＤタグ３１を取り外すと、表面実装によりプリント配線５４とＲＦＩＤタグ３１とが強固に固定されているので、ＲＦＩＤタグ３１とともにプリント配線５４が基板５１から剥がれる。これにより、プリント配線５４が断線し、ムーブメント５が動作不良を起こす。
【００６１】
以上に説明したように、本実施形態では、ＲＦＩＤタグ３１がプリント配線５４に重なる位置で基板５１に表面実装されている。この構成によれば、ＲＦＩＤタグ３１が基板５１から取り外された際に、プリント配線５４も基板５１から剥離するように構成できる。これにより、ＲＦＩＤタグ３１が基板５１から取り外されると、プリント配線５４が断線し、ムーブメント５が正常に動作しなくなる。したがって、ＲＦＩＤタグ３１の不正な交換を抑制することができる。
【００６２】
なお、上記第２実施形態では、ＲＦＩＤタグ３１が基板５１に表面実装により固定されているが、これに限定されず、ＲＦＩＤタグ３１が基板５１に接着剤で固定されていてもよい。ただし、プリント配線５４をＲＦＩＤタグ３１とともに基板５１から剥離させるために、プリント配線５４とＲＦＩＤタグ３１とをより強固に固定できる点で、表面実装のほうが好適である。
【００６３】
［第３実施形態］
次に、図１２を参照して、第３実施形態について説明する。第１実施形態では、ＲＦＩＤタグ３１は、ムーブメント５の外部から見て回路押さえ６０の平板部６１とスイッチばね６３との間に配置されている。これに対して第３実施形態では、ムーブメント１０５の外部から見てＲＦＩＤタグ３１が裏押さえ１７０の貫通孔１７４の内側に配置されている点で、第１実施形態と異なる。なお、以下で説明する以外の構成は、第１実施形態と同様である。
【００６４】
図１２は、第３実施形態のムーブメントを裏側から見た斜視図である。
図１２に示すように、ムーブメント１０５は、地板１４０と、回転軸２１と、輪列１２５と、電池２７と、裏押さえ１７０と、ＲＦＩＤタグ３１と、を備える。地板１４０は、モータ（不図示）や輪列１２５、電池２７等を支持している。例えば、輪列１２５は、地板１４０の裏側に配置された歯車１３３を備える。輪列１２５は、モータのロータの回転を指針４（図１参照）に伝達する。
【００６５】
裏押さえ１７０は、金属材料からなる板材をプレス加工することにより形成されている。裏押さえ１７０は、平板部１７１と、平板部１７１から延びるジャンパ１７２および係止部１７３と、を備える。平板部１７１は、地板１４０の裏側に配置されている。平板部１７１は、地板１４０の面方向に沿って延びている。平板部１７１は、地板１４０との間に歯車１３３を含む輪列１２５を回転可能に支持している。平板部１７１には、貫通孔１７４が形成されている。貫通孔１７４は、平板部１７１を地板１４０の厚み方向に貫通している。
【００６６】
ジャンパ１７２は、歯車１３３の回転方向の位置を規正するための部品である。ジャンパ１７２は、先端部が自由端とされた弾性変形可能な片持ち梁である。ジャンパ１７２の先端部は、平板部１７１よりも表側に設けられている。ジャンパ１７２の先端部は、歯車１３３の外周に係合可能となっている。ジャンパ１７２は、先端部が歯車１３３の外周の歯部に係合することにより、歯車１３３の回転を規正する。係止部１７３は、平板部１７１の外縁から表側に向かって延びている。係止部１７３は、地板１４０の外周面に係合する。これにより、裏押さえ１７０は、平板部１７１と地板１４０との間に歯車１３３を含む輪列１２５を挟持している。
【００６７】
ＲＦＩＤタグ３１は、地板１４０と裏押さえ１７０の平板部１７１との間に配置されている。例えば、ＲＦＩＤタグ３１は、地板１４０に固定されている。ＲＦＩＤタグ３１は、ムーブメント１０５の外部から見て裏押さえ１７０の貫通孔１７４の内側に配置されている。本実施形態では、ＲＦＩＤタグ３１の少なくとも一部は、平面視で貫通孔１７４の内側に配置されている。ＲＦＩＤタグ３１は、表側および地板１４０の面方向の外側の両方から視認不能な位置に配置されている。ＲＦＩＤタグ３１は、ムーブメント１０５における表側に面する外面から１０ｍｍ以内に配置されている。
【００６８】
以上に説明したように、本実施形態では、金属材料により形成された裏押さえ１７０は、地板１４０の面方向に沿って延びる平板部１７１を備える。平板部１７１には、貫通孔１７４が形成され、ＲＦＩＤタグ３１は、外部から見て貫通孔１７４の内側に配置されている。この構成によれば、ＲＦＩＤタグ３１の周囲に電波を遮断する裏押さえ１７０が配置されていても、貫通孔１７４を電波の伝播経路として確保することができる。したがって、外部のリーダによってＲＦＩＤタグ３１から情報を確実に読み取ることができる。
【００６９】
また、ＲＦＩＤタグ３１は、表側および地板１４０の面方向の外側の両方から視認不能な位置に配置されている。この構成によれば、ＲＦＩＤタグ３１が地板１４０の厚み方向の一方、および地板１４０の面方向外側の２方向に跨って露出することを防止できる。これにより、ＲＦＩＤタグ３１は、容易に取り外すことが困難な位置に配置される。よって、ＲＦＩＤタグ３１の不正な交換を抑制することができる。
【００７０】
［第４実施形態］
次に、図１３および図１４を参照して、第４実施形態について説明する。第１実施形態では、ＲＦＩＤタグ３１は、地板４０の面方向の外側から見て導電部材（回路押さえ６０のスイッチばね６３）に少なくとも一部が重なっている。これに対して第４実施形態では、ＲＦＩＤタグ３１は、地板２４０の面方向の外側から見て導電部材（端子板２８０）に重なっていない点で、第１実施形態と異なる。なお、以下で説明する以外の構成は、第１実施形態と同様である。
【００７１】
図１３は、第４実施形態のムーブメントを表側から見た平面図である。図１４は、第４実施形態のムーブメントを表側から見た斜視図である。なお、図１４では、端子板２８０が取り外された状態を示している。
図１３および図１４に示すように、ムーブメント２０５は、地板２４０と、輪列２２５と、電池２７と、輪列受２２９と、水晶ユニット５２と、端子板２８０と、ＲＦＩＤタグ３１と、を備える。地板２４０は、モータ（不図示）や輪列２２５、電池２７、水晶ユニット５２等を支持している。
【００７２】
図１４に示すように、地板２４０には、ＲＦＩＤタグ３１を収容する凹部２４１が形成されている。凹部２４１は、地板２４０の外周部に形成されている。凹部２４１は、裏側に窪むとともに表側に開口している。また、凹部２４１の側面の一部は、地板２４０の面方向の外側に開口している。
【００７３】
図１３に示すように、輪列２２５は、地板２４０の表側に配置された歯車２３３を備える。輪列２２５は、モータのロータの回転を指針４（図１参照）に伝達する。
【００７４】
図１３および図１４に示すように、輪列受２２９は、地板２４０の表側に取り付けられている。輪列受２２９は、平面視で電池２７を避けるように配置されている。輪列受２２９は、地板２４０との間に歯車２３３を含む輪列２２５を回転可能に支持している。
【００７５】
図１３に示すように、端子板２８０は、金属材料からなる板材をプレス加工することにより形成されている。端子板２８０は、平板部２８１と、平板部２８１から延びる端子部２８２および接点ばね２８３と、を備える。平板部２８１は、地板２４０の表側に配置されている。平板部２８１は、地板２４０の面方向に沿って延びている。平板部２８１は、平面視で電池２７を避けるように形成されている。平板部２８１は、平面視で地板２４０よりも小さく形成されている。平板部２８１は、平面視で地板２４０の外縁よりも内側に配置されている。平板部２８１は、表側から見て地板２４０の凹部２４１（図１４参照）を覆っている。平板部２８１は、複数のねじ２８５により、地板２４０に固定されている。
【００７６】
端子部２８２は、平板部２８１の外縁のうち、電池２７に対向する箇所から延びている。端子部２８２は、電池２７の側面のプラス極に接触する。接点ばね２８３は、平板部２８１から裏側に向かって延びている。接点ばね２８３は、図示しない回路基板上のプリント配線に圧接している。これにより、端子板２８０は、回路基板上のプリント配線と電池２７のプラス極とを導通し、回路基板に実装された集積回路（不図示）に電力を供給している。
【００７７】
図１３および図１４に示すように、ＲＦＩＤタグ３１は、地板２４０に形成された凹部２４１の内側に配置されている。ＲＦＩＤタグ３１は、ムーブメント２０５における表側に面する外面から１０ｍｍ以内に配置されている。より好適には、ＲＦＩＤタグ３１は、ムーブメント２０５における表側に面する外面から、端子板２８０を迂回した距離が１０ｍｍ以内の位置に配置されている。ＲＦＩＤタグ３１は、平面視で端子板２８０の平板部２８１に重なっている。これにより、ＲＦＩＤタグ３１は、地板２４０の厚み方向の両側から視認不能な位置に配置されている。また、ＲＦＩＤタグ３１は、地板２４０の面方向の外側から見て、端子板２８０に重ならない位置に配置されている。なお、地板２４０の凹部２４１は、地板２４０を貫通していてもよく、この場合には凹部２４１の側面にＲＦＩＤタグ３１を固定することが望ましい。
【００７８】
以上に説明したように、本実施形態では、ＲＦＩＤタグ３１は、地板２４０の厚み方向の両側から視認不能な位置に配置されている。この構成によれば、ＲＦＩＤタグ３１が地板２４０の厚み方向の一方、および地板２４０の面方向外側の２方向に跨って露出することを防止できる。これにより、ＲＦＩＤタグ３１は、容易に取り外すことが困難な位置に配置される。よって、ＲＦＩＤタグ３１の不正な交換を抑制することができる。
【００７９】
また、ＲＦＩＤタグ３１は、地板２４０の面方向の外側から見て、端子板２８０に重ならない位置に配置されている。これにより、端子板２８０の平板部２８１を迂回する電波の伝播経路を広範囲に確保することができる。したがって、外部のリーダによってＲＦＩＤタグ３１から情報を確実に読み取ることができる。
【００８０】
また、金属材料により形成された端子板２８０の平板部２８１は、平面視で地板２４０の外縁よりも内側に配置されている。これにより、ムーブメント２０５が時計ケース２内に配置されていても、電波を遮断する平板部２８１と時計ケース２の内面との間に隙間が形成される。よって、ＲＦＩＤタグ３１と外部のリーダとの間に電波の伝播経路を確保することができる。したがって、ムーブメント２０５を時計ケース２から取り外さなくても、外部のリーダによってＲＦＩＤタグ３１から情報を確実に読み取ることができる。
【００８１】
なお、本発明は、図面を参照して説明した上述の実施形態に限定されるものではなく、その技術的範囲において様々な変形例が考えられる。
例えば、上記実施形態では、ＲＦＩＤタグを収容する凹部が地板に形成されているが、これに限定されない。例えば、輪列受や、電池を支持する電池枠等、地板とは別体で設けられる部材に凹部を形成してもよい。
【００８２】
また、上記実施形態では、地板に形成された凹部が地板の厚み方向に開口しているが、これに限定されず、凹部は地板の面方向外側に開口していてもよい。
【００８３】
また、上記実施形態では、アナログクォーツ式の電子時計および電子時計に搭載されるムーブメントを例に挙げて説明したが、機械式時計に搭載されるムーブメントに本発明を適用してもよい。
【００８４】
その他、本発明の趣旨を逸脱しない範囲で、上記した実施の形態における構成要素を周知の構成要素に置き換えることは適宜可能であり、また、上述した各実施形態および各変形例を適宜組み合わせてもよい。
【符号の説明】
【００８５】
１…時計  ２…時計ケース  ４…指針  ５，１０５，２０５…ムーブメント（時計用ムーブメント）  １６…裏蓋  ２３…モータ（動力源）  ３１…ＲＦＩＤタグ（無線通信デバイス）  ４０，１４０，２４０…地板  ４１，２４１…凹部  ４５…かしめ部  ４６…嵌合突部  ５１…基板  ５３…集積回路（制御部）  ５４…プリント配線  ６０…回路押さえ（導電部材）  ６１…平板部  ６３…スイッチばね（延出部）  １２５，２２５…輪列  １７０…裏押さえ（導電部材）  １７１…平板部  １７４…貫通孔  ２８０…端子板（導電部材）  ２８１…平板部  ２８３…接点ばね（延出部）
【図１】
2020034401.tif 000003
【図２】
2020034401.tif 000004
【図３】
2020034401.tif 000005
【図４】
2020034401.tif 000006
【図５】
2020034401.tif 000007
【図６】
2020034401.tif 000008
【図７】
2020034401.tif 000009
【図８】
2020034401.tif 000010
【図９】
2020034401.tif 000011
【図１０】
2020034401.tif 000012
【図１１】
2020034401.tif 000013
【図１２】
2020034401.tif 000014
【図１３】
2020034401.tif 000015
【図１４】
2020034401.tif 000016